(57)【要約】【課題】駆動電圧と検査電圧とを適切に発熱素子へ供給できるようにすること。【解決手段】サーマルプリンターは、発熱素子を備えるサーマルヘッドと、発熱素子に、駆動電圧、及び、駆動電圧より低電圧の検査電圧を供給する電圧供給回路と、を備え、電圧供給回路は、発熱素子に接続され、駆動電圧スイッチ信号の入力に応じて、発熱素子への駆動電圧の供給をオンに切り替える駆動電圧供給回路と、発熱素子に接続され、検査電圧スイッチ信号の入力に応じて、発熱素子への検査電圧の供給をオンに切り替える検査電圧供給回路と、検査電圧スイッチ信号の入力に応じて、駆動電圧供給回路の駆動電圧の供給をオフに保持する駆動電圧停止回路と、駆動電圧スイッチ信号の入力に応じて、検査電圧供給回路の検査電圧の供給をオフに保持する検査電圧停止回路と、を備える。【選択図】図２
2020110988.tif 000002
【特許請求の範囲】
【請求項１】
ヘッド素子を備える印刷ヘッドと、
前記ヘッド素子に、第１電圧、及び、前記第１電圧より低電圧の第２電圧を供給する電圧供給部と、を備え、
前記電圧供給部は、
前記ヘッド素子に接続され、第１信号の入力に応じて、前記ヘッド素子への前記第１電圧の供給をオンに切り替える第１電圧供給回路と、
前記ヘッド素子に接続され、第２信号の入力に応じて、前記ヘッド素子への前記第２電圧の供給をオンに切り替える第２電圧供給回路と、
前記第２信号の入力に応じて、前記第１電圧供給回路の前記第１電圧の供給をオフに保持する第１電圧停止回路と、
前記第１信号の入力に応じて、前記第２電圧供給回路の前記第２電圧の供給をオフに保持する第２電圧停止回路と、を備える、
印刷装置。
【請求項２】
前記第１電圧供給回路への前記第１信号の入力を遅延させる第１遅延回路を備える、
請求項１に記載の印刷装置。
【請求項３】
前記第２電圧供給回路への前記第２信号の入力を遅延させる第２遅延回路を備える、
請求項１又は２に記載の印刷装置。
【請求項４】
前記電圧供給部は、前記第１電圧が供給される第１電圧供給ライン、及び、前記第２電圧が供給される第２電圧供給ラインに接続され、
前記第１電圧供給回路は、前記第１信号に応じてオンに切り替わる第１スイッチを備え、前記第１スイッチがオンのとき前記第１電圧供給ラインに前記ヘッド素子が接続され、
前記第２電圧供給回路は、前記第２信号に応じてオンに切り替わる第２スイッチを備え、前記第２スイッチがオンのとき前記第２電圧供給ラインに前記ヘッド素子が接続され、
前記第１電圧停止回路は、前記第２信号の入力に応じて、前記第１スイッチをオフに保持し、
前記第２電圧停止回路は、前記第１信号の入力に応じて、前記第２スイッチをオフに保持する、
請求項１から３のいずれか一項に記載の印刷装置。
【請求項５】
前記第１スイッチは、第１電界効果トランジスターにより構成され、
前記第１電圧停止回路は、前記第２信号の入力がオンの間、前記第１電界効果トランジスターをオフに保持する、
請求項４に記載の印刷装置。
【請求項６】
前記第２スイッチは、第２電界効果トランジスターにより構成され、
前記第２電圧停止回路は、前記第１信号の入力がオンの間、前記第２電界効果トランジスターをオフに保持する、
請求項４又は５に記載の印刷装置。
【請求項７】
前記第１スイッチ、及び、前記第２スイッチは、前記ヘッド素子につながる共通の接点に接続される、
請求項４から６のいずれか一項に記載の印刷装置。
【請求項８】
前記電圧供給部に入力される前記第１信号及び前記第２信号を制御する制御部を備える、
請求項１から７のいずれか一項に記載の印刷装置。
【請求項９】
印刷ヘッドを備える印刷装置の制御方法であって、
前記印刷ヘッドのヘッド素子に、電圧供給部から第１電圧を供給して印刷を実行し、前記第１電圧より低電圧の第２電圧を供給して前記ヘッド素子の検査を実行し、
前記電圧供給部は、
第１信号の入力に応じて、前記ヘッド素子への前記第１電圧の供給をオンに切り替え、前記第２電圧の供給をオフに保持し、
第２信号の入力に応じて、前記ヘッド素子への前記第２電圧の供給をオンに切り替え、前記第１電圧の供給をオフに保持する、
印刷装置の制御方法。
【発明の詳細な説明】
【技術分野】
【０００１】
本発明は、印刷装置、及び、印刷装置の制御方法に関する。
【背景技術】
【０００２】
従来、印刷ヘッドが備えるヘッド素子に電圧を供給することで印刷やヘッド素子の検査を行う印刷装置が知られている。例えば、特許文献１は、印刷用の電圧を抵抗体からなるヘッド素子に供給して、ヘッド素子と検査用抵抗との分圧に基づいてヘッド素子の不良検査を行う印刷装置を開示する。
【先行技術文献】
【特許文献】
【０００３】
【特許文献１】特開２０００−１４１７３０号公報
【発明の概要】
【発明が解決しようとする課題】
【０００４】
特許文献１記載のような印刷装置は、ヘッド素子に基づく動作に応じて電圧値が異なる電圧をヘッド素子に供給できるように構成される場合がある。この種の印刷装置は、例えば電圧値が異なる複数の電圧が同時にヘッド素子に供給されるおそれがある。
【課題を解決するための手段】
【０００５】
上記課題を解決する一態様は、ヘッド素子を備える印刷ヘッドと、前記ヘッド素子に、第１電圧、及び、前記第１電圧より低電圧の第２電圧を供給する電圧供給部と、を備え、前記電圧供給部は、前記ヘッド素子に接続され、第１信号の入力に応じて、前記ヘッド素子への前記第１電圧の供給をオンに切り替える第１電圧供給回路と、前記ヘッド素子に接続され、第２信号の入力に応じて、前記ヘッド素子への前記第２電圧の供給をオンに切り替える第２電圧供給回路と、前記第２信号の入力に応じて、前記第１電圧供給回路の前記第１電圧の供給をオフに保持する第１電圧停止回路と、前記第１信号の入力に応じて、前記第２電圧供給回路の前記第２電圧の供給をオフに保持する第２電圧停止回路と、を備える、印刷装置である。
【０００６】
上記印刷装置において、前記第１電圧供給回路への前記第１信号の入力を遅延させる第１遅延回路を備える、構成でもよい。
【０００７】
上記印刷装置において、前記第２電圧供給回路への前記第２信号の入力を遅延させる第２遅延回路を備える、構成でもよい。
【０００８】
上記印刷装置において、前記電圧供給部は、前記第１電圧が供給される第１電圧供給ライン、及び、前記第２電圧が供給される第２電圧供給ラインに接続され、前記第１電圧供給回路は、前記第１信号に応じてオンに切り替わる第１スイッチを備え、前記第１スイッチがオンのとき前記第１電圧供給ラインに前記ヘッド素子が接続され、前記第２電圧供給回路は、前記第２信号に応じてオンに切り替わる第２スイッチを備え、前記第２スイッチがオンのとき前記第２電圧供給ラインに前記ヘッド素子が接続され、前記第１電圧停止回路は、前記第２信号の入力に応じて、前記第１スイッチをオフに保持し、前記第２電圧停止回路は、前記第１信号の入力に応じて、前記第２スイッチをオフに保持する、構成でもよい。
【０００９】
上記印刷装置において、前記第１スイッチは、第１電界効果トランジスターにより構成され、前記第１電圧停止回路は、前記第２信号の入力がオンの間、前記第１電界効果トランジスターをオフに保持する、構成でもよい。
【００１０】
上記印刷装置において、前記第２スイッチは、第２電界効果トランジスターにより構成され、前記第２電圧停止回路は、前記第１信号の入力がオンの間、前記第２電界効果トランジスターをオフに保持する、構成でもよい。
【００１１】
上記印刷装置において、前記第１スイッチ、及び、前記第２スイッチは、前記ヘッド素子につながる共通の接点に接続される、構成でもよい。
【００１２】
上記印刷装置において、前記電圧供給部に入力される前記第１信号及び前記第２信号を制御する制御部を備える、構成でもよい。
【００１３】
上記課題を解決する別の一態様は、印刷ヘッドを備える印刷装置の制御方法であって、前記印刷ヘッドのヘッド素子に、電圧供給部から第１電圧を供給して印刷を実行し、前記第１電圧より低電圧の第２電圧を供給して前記ヘッド素子の検査を実行し、前記電圧供給部は、第１信号の入力に応じて、前記ヘッド素子への前記第１電圧の供給をオンに切り替え、前記第２電圧の供給をオフに保持し、第２信号の入力に応じて、前記ヘッド素子への前記第２電圧の供給をオンに切り替え、前記第１電圧の供給をオフに保持する、印刷装置の制御方法である。
【図面の簡単な説明】
【００１４】
【図１】サーマルプリンターの構成を示す図。
【図２】電圧供給回路の構成を示す図。
【図３】サーマルプリンターの動作を示すフローチャート。
【図４】サーマルプリンターの動作を示すフローチャート。
【図５】スイッチ信号、トランジスターの状態を示すタイミングチャート。
【図６】スイッチ信号、トランジスターの状態を示すタイミングチャート。
【図７】スイッチ信号、トランジスターの状態を示すタイミングチャート。
【発明を実施するための形態】
【００１５】
［１．サーマルプリンターの構成］
図１は、サーマルプリンター１の構成を示す図である。サーマルプリンター１は、印刷装置の一例に対応する。
【００１６】
サーマルプリンター１は、印刷媒体として不図示の感熱ロール紙を本体に収容し、発熱素子１５２が並べて設けられたライン型のサーマルヘッド１５１により、感熱ロール紙の印刷面に熱を加えてドットを形成することで文字や画像等を印刷する印刷装置である。発熱素子１５２は、ヘッド素子の一例に対応する。また、サーマルヘッド１５１は、印刷ヘッドの一例に対応する。
【００１７】
サーマルプリンター１は、制御部１０、通信部１１、入力部１２、表示部１３、電源部１４、及び、印刷部１５を備える。
【００１８】
制御部１０は、ＣＰＵやＭＰＵ等のプログラムを実行するプロセッサー１００、及び記憶部１１０を備え、サーマルプリンター１の各部を制御する。制御部１０は、プロセッサー１００が、記憶部１１０に記憶された制御プログラム１１０Ａを読み出して処理を実行するように、ハードウェア、及びソフトウェアの協働により各種処理を実行する。
【００１９】
記憶部１１０は、プロセッサー１００が実行するプログラムや、プロセッサー１００により処理されるデータを記憶する記憶領域を有する。記憶部１１０は、プロセッサー１００が実行する制御プログラム１１０Ａ、その他の各種データを記憶する。記憶部１１０は、プログラムやデータを不揮発的に記憶する不揮発性記憶領域を有する。また、記憶部１１０は、揮発性記憶領域を備え、プロセッサー１００が実行するプログラムや処理対象のデータを一時的に記憶するワークエリアを構成してもよい。
【００２０】
通信部１１は、所定の通信規格に従った通信ハードウェアにより構成され、制御部１０の制御で、所定の通信規格に従ってホストコンピューター等の外部装置と通信する。なお、通信ハードウェアとしては、通信回路や、通信ポート、通信基板、通信コネクター等のハードウェアが一例として挙げられる。
【００２１】
入力部１２は、サーマルプリンター１に設けられた操作パネルやタッチパネル等の入力手段を備え、ユーザーの入力手段に対する操作を検出し、制御部１０に出力する。制御部１０は、入力部１２からの入力に基づいて、入力手段に対する操作に対応する処理を実行する。
【００２２】
表示部１３は、複数のＬＥＤや、表示パネル等の表示手段を備え、制御部１０の制御で、ＬＥＤを所定の態様で点灯／消灯や表示パネルへの情報の表示等を実行する。
【００２３】
電源部１４は、商用交流電源２と接続し、商用交流電源２から供給される電力に対して、整流や、平滑、電圧変換等の処理を行う回路を備え、サーマルプリンター１の各部に供給する電力を生成する。例えば、電源部１４は、商用交流電源２から３．３ボルトや５．０ボルトの論理回路用の直流電力を生成して、制御部１０を構成する各部に供給する。
電源部１４は、サーマルヘッド１５１によって印刷を実行する際に発熱素子１５２を駆動するための駆動電圧を生成し、生成した駆動電圧をヘッド駆動回路１５３に供給する。駆動電圧は、第１電圧の一例に対応する。駆動電圧は、例えば１２ボルトや２４ボルトの電圧である。
また、電源部１４は、サーマルヘッド１５１が備える発熱素子１５２の発熱不良を検査するため専用の検査電圧を生成し、生成した検査電圧をヘッド駆動回路１５３に供給する。検査電圧は、第２電圧の一例に対応する。検査電圧は、駆動電圧より低電圧であり、例えば３．３ボルトや５．０ボルトの論理回路用の電圧である。
以下の説明では、発熱素子１５２の発熱不良の検査を、「発熱素子検査」という。
【００２４】
印刷部１５は、制御部１０の制御に従って、電源部１４からの駆動電圧の供給を受けて外部装置から受信する印刷データに基づいて、印刷を実行する。印刷部１５は、サーマルヘッド１５１、ヘッド駆動回路１５３、搬送モーター１５４、カッター駆動モーター１５５、及び、カッター１５６を備える。サーマルヘッド１５１の構成については、図２を参照して後述する。
【００２５】
ヘッド駆動回路１５３は、制御部１０の制御で、サーマルヘッド１５１に対して信号の入力や電圧の供給を行う回路である。ヘッド駆動回路１５３は、制御部１０から入力されるストローブ信号Ｓ１、ラッチ信号Ｓ２、クロック信号Ｓ３、及びデータ信号Ｓ４を、サーマルヘッド１５１に出力する。ヘッド駆動回路１５３は、電圧供給回路１５３Ａを備える。電圧供給回路１５３Ａは、電圧供給部の一例に対応する。電圧供給回路１５３Ａには、制御部１０から駆動電圧スイッチ信号ＳＷＳ１と検査電圧スイッチ信号ＳＷＳ２とが入力される。駆動電圧スイッチ信号ＳＷＳ１は、発熱素子１５２に対する駆動電圧の供給をオンオフする信号であり、第１信号の一例に対応する。検査電圧スイッチ信号ＳＷＳ２は、発熱素子１５２に対する検査電圧の供給をオンオフする信号であり、第２信号の一例に対応する。電圧供給回路１５３Ａの構成については、図２を参照して後述する。
【００２６】
搬送モーター１５４は、制御部１０の制御で、図示せぬ搬送ローラーを回転させ、感熱ロール紙を搬送方向に搬送する。
【００２７】
カッター駆動モーター１５５は、可動刃及び固定刃により構成されるカッター１５６と接続し、制御部１０の制御で、可動刃を固定刃に向けてスライドするように駆動させ、感熱ロール紙を所定の位置で切断する。
【００２８】
次に、電圧供給回路１５３Ａの構成について説明する。電圧供給回路１５３Ａの説明と共に、サーマルヘッド１５１の構成も共に説明する。
【００２９】
［２．電圧供給回路、及び、サーマルヘッドの構成］
図２は、電圧供給回路１５３Ａの構成を示す図である。図２では、説明便宜のため、電圧供給回路１５３Ａと共にサーマルヘッド１５１及び制御部１０を図示する。
【００３０】
［２−１．サーマルヘッドの構成］
まず、サーマルヘッド１５１の構成について説明する。
サーマルヘッド１５１は、発熱素子ユニット１５１Ａと、ラッチドライバー１５１Ｂと、シフトレジスター１５１Ｃとを備える。
【００３１】
発熱素子ユニット１５１Ａは、発熱素子１５２を、感熱ロール紙の搬送方向と交差する方向に並んで複数有する。交差する方向としては、搬送方向と直交する方向が一例として挙げられる。図２では、発熱素子ユニット１５１Ａは、ｎ個の発熱素子１５２を有する。なお、「ｎ」は任意の自然数である。また、発熱素子ユニット１５１Ａは、発熱素子１５２の数分、発熱素子１５２の通電をオンオフするトランジスターＱＨを有する。発熱素子１５２のそれぞれは、一端がヘッド電圧供給ラインＨＤＬに接続し、他端が対応するトランジスターＱＨのコレクターに接続する。トランジスターＱＨのそれぞれは、エミッターが接地され、ベースがシフトレジスター１５１Ｃに接続する。ｎ個のトランジスターＱＨは、それぞれがオンオフすることで、ｎ個の発熱素子１５２のうち一部を選択的に通電させることができる。
【００３２】
以下の説明において、符号に関わらずトランジスターがオンであるとは、トランジスターのソースとドレインとの間、或いはトランジスターのコレクターとエミッターとの間が導通状態であることを示す。また、トランジスターがオフであるとは、トランジスターのソースとドレインとの間、或いはトランジスターのコレクターとエミッターとの間が導通していない遮断状態であることを示す。
【００３３】
ラッチドライバー１５１Ｂは、ストローブ信号Ｓ１が入力される入力端子ＳＴＢと、ラッチ信号Ｓ２が入力される入力端子ＬＡＴとを備える。ラッチドライバー１５１Ｂは、シフトレジスター１５１Ｃから入力されたデータ信号Ｓ４を入力端子ＬＡＴに入力されるラッチ信号Ｓ２によって一時的にラッチする。そして、ラッチドライバー１５１Ｂは、入力端子ＳＴＢに入力されるストローブ信号Ｓ１に基づいてトランジスターＱＨのオンオフを制御して、発熱素子ユニット１５１Ａが有する発熱素子１５２のそれぞれの発熱を制御する。
【００３４】
シフトレジスター１５１Ｃは、ｎ段のフリップフロップＦＦにより構成される。なお、「ｎ」は任意の自然数である。シフトレジスター１５１Ｃの各フリップフロップＦＦは、シリアルデータであるデータ信号Ｓ４が入力される入力端子ＤＩと、データ信号Ｓ４に同期するクロック信号Ｓ３が入力される入力端子ＣＬＫと、フリップフロップＦＦからあふれるデータ信号Ｓ４が出力される出力端子ＤＯとを備える。シフトレジスター１５１Ｃは、１段目のフリップフロップＦＦの出力端子ＤＯと、２段目のフリップフロップＦＦの入力端子ＤＩとが接続されるように、ｎ個のフリップフロップＦＦが順次連結して構成される。
【００３５】
ここで、印刷を行う際のサーマルヘッド１５１の動作について説明する。この説明では、電圧供給回路１５３Ａから駆動電圧がサーマルヘッド１５１の各発熱素子１５２に供給されているとする。
【００３６】
サーマルプリンター１の制御部１０は、印刷実行のトリガーが発生すると、ヘッド駆動回路１５３を介して、シフトレジスター１５１Ｃに発熱素子１５２の数のクロック信号Ｓ３を出力しつつ、クロック信号Ｓ３に同期して、１ドットライン分の印刷データを示すデータ信号Ｓ４をシフトレジスター１５１Ｃの１段目のフリップフロップＦＦに出力する。この印刷データを示すデータ信号Ｓ４は、シリアルデータである。そのため、シフトレジスター１５１Ｃに出力された印刷データは、１段目からｎ段目までシフトしていく。なお、ドットラインとは、サーマルヘッド１５１の発熱素子ユニット１５１Ａが備える発熱素子１５２の列に対応したデータ、又は、画像の単位を示す。
【００３７】
制御部１０は、１ドットライン分の印刷データの出力が完了すると、ラッチ信号Ｓ２をラッチドライバー１５１Ｂに出力する。ラッチドライバー１５１Ｂは、ヘッド駆動回路１５３を介して制御部１０からラッチ信号Ｓ２が入力されると、シフトレジスター１５１Ｃに入力された１ドットライン分の印刷データをパラレルデータとして一時的にラッチする。この際、シフトレジスター１５１Ｃは、シフトレジスター１５１Ｃに入力した印刷データを保持する必要がないので、次の印刷データが入力される。
【００３８】
制御部１０は、ラッチドライバー１５１Ｂが１ドットライン分の印刷データを一時的にラッチすると、ストローブ信号Ｓ１をラッチドライバー１５１Ｂに出力する。ラッチドライバー１５１Ｂは、ストローブ信号Ｓ１が出力されている間、ラッチした１ドットライン分の印刷データに基づいて、通電させる発熱素子１５２に対応するトランジスターＱＨをオンにする。これにより印刷データに対応する発熱素子１５２が発熱し、感熱ロール紙には、１ドットライン分の印刷データに基づく印刷が実行される。感熱ロール紙に１ドットライン分の印刷データに基づく印刷が実行されると、感熱ロール紙が１ドットライン分搬送され、ヘッド駆動回路１５３は、上述した動作を再度繰り返し、１ドットラインごとに印刷を順次実行する。
【００３９】
［２−２．電圧供給回路の構成］
次に、電圧供給回路１５３Ａについて説明する。
電圧供給回路１５３Ａは、駆動電圧供給回路２００、駆動電圧停止回路３００、検査電圧供給切替回路４００、逆流防止回路５００、及び、検査電圧停止回路６００を備える。検査電圧供給切替回路４００と逆流防止回路５００とは、検査電圧供給回路７００を構成する。
【００４０】
駆動電圧供給回路２００は、第１電圧供給回路の一例に対応する。また、駆動電圧停止回路３００は、第１電圧停止回路の一例に対応する。また、検査電圧停止回路６００は、第２電圧停止回路の一例に対応する。また、検査電圧供給回路７００は、第２電圧供給回路の一例に対応する。
【００４１】
［２−２−１．駆動電圧供給回路の構成］
駆動電圧供給回路２００は、トランジスターＱ２１、Ｑ２２、抵抗Ｒ２１、Ｒ２２、及び、駆動電圧遅延回路２０１を備える。トランジスターＱ２１は、第１スイッチ、及び第１電界効果トランジスターの一例に対応する。駆動電圧遅延回路２０１は、第１遅延回路の一例に対応する。
【００４２】
トランジスターＱ２１は、ｐ型チャンネルの電界効果トランジスターにより構成される。トランジスターＱ２１のソースとドレインとの間には、寄生ダイオードが接続する。トランジスターＱ２１のソースには、駆動電圧が供給される駆動電圧供給ラインＫＤＬが接続する。トランジスターＱ２１のドレインには、ノードＮ１を介してヘッド電圧供給ラインＨＤＬと接続するヘッド接続ラインＨＬ１が接続する。駆動電圧供給ラインＫＤＬは、第１電圧供給ラインの一例に対応する。
【００４３】
トランジスターＱ２１がオンである場合、駆動電圧供給ラインＫＤＬは、ヘッド接続ラインＨＬ１、ノードＮ１、及び、ヘッド電圧供給ラインＨＤＬを介して発熱素子ユニット１５１Ａの各発熱素子１５２と電気的に接続する。一方、トランジスターＱ２１がオフである場合、駆動電圧供給ラインＫＤＬは、発熱素子ユニット１５１Ａの各発熱素子１５２と電気的に接続しない。
【００４４】
トランジスターＱ２１のゲートは、ノードＮ２１に接続する。ノードＮ２１には、抵抗Ｒ２１、Ｒ２２が接続する。抵抗Ｒ２１は、一端が駆動電圧供給ラインＫＤＬに接続し、他端がノードＮ２１に接続する。抵抗Ｒ２２は、一端がノードＮ２１に接続し、他端がｎ型チャンネルの電界効果トランジスターにより構成されるトランジスターＱ２２のドレインと接続する。
【００４５】
トランジスターＱ２２は、ドレインが抵抗Ｒ２２の一端と接続し、ソースが接地される。トランジスターＱ２２のドレインとソースとの間には、寄生ダイオードが接続される。トランジスターＱ２２のゲートは、制御部１０と接続し、制御部１０の動作に基づいて駆動電圧スイッチ信号ＳＷＳ１が入力される。
【００４６】
駆動電圧スイッチ信号ＳＷＳ１は、電圧レベルが「Ｈｉｇｈ」レベルの信号である。そのため、トランジスターＱ２２は、ゲートに駆動電圧スイッチ信号ＳＷＳ１が入力されると、ソースに対するゲートの電圧が閾値より大きくなりオンする。一方で、トランジスターＱ２２は、ゲートに対して駆動電圧スイッチ信号ＳＷＳ１の入力がない場合、ソースとゲートとの間に電位差が生じずオフする。
【００４７】
トランジスターＱ２２がオンすると、トランジスターＱ２１のゲートには、抵抗Ｒ２１と抵抗Ｒ２２との分圧が印加される。すると、トランジスターＱ２１は、ゲートに対するソースの電圧が閾値より大きくなりオンする。なお、抵抗Ｒ２１、Ｒ２２の抵抗値は、トランジスターＱ２２がオンに伴ってトランジスターＱ２１がオンするように適切に予め定められている。トランジスターＱ２１がオンになると、駆動電圧供給ラインＫＤＬと発熱素子１５２とが電気的に接続するため、駆動電圧供給回路２００は、発熱素子１５２に駆動電圧を供給する。
一方、トランジスターＱ２２がオフしている場合、トランジスターＱ２１のゲートには抵抗Ｒ２１と抵抗Ｒ２２との分圧が印加されないため、トランジスターＱ２１は、オフする。トランジスターＱ２１がオフすると、駆動電圧供給ラインＫＤＬと発熱素子１５２とが電気的に接続しなくなり、駆動電圧供給回路２００は、発熱素子１５２への駆動電圧の供給を停止する。
このように、駆動電圧供給回路２００は、駆動電圧スイッチ信号ＳＷＳ１の入力がある場合、発熱素子１５２への駆動電圧の供給をオンに切り替え、駆動電圧スイッチ信号ＳＷＳ１の入力がない場合、発熱素子１５２への駆動電圧の供給をオフに切り替える。
【００４８】
抵抗Ｒ２１には、並列にコンデンサーＣ２１が接続する。コンデンサーＣ２１と抵抗Ｒ２２とは、駆動電圧遅延回路２０１を構成する。駆動電圧遅延回路２０１の動作、及び機能については、後述する。
【００４９】
［２−２−２．駆動電圧停止回路の構成］
駆動電圧停止回路３００は、トランジスターＱ３１、Ｑ３２、及び、抵抗Ｒ３１、３２を備える。
【００５０】
トランジスターＱ３１は、ｐｎｐ型のバイポーラトランジスターにより構成され、エミッターが駆動電圧供給ラインＫＤＬに接続し、コレクターがノードＮ２１に接続し、ベースがノードＮ３１に接続する。ノードＮ３１には、抵抗Ｒ３１、Ｒ３２が接続する。抵抗Ｒ３１は、一端がトランジスターＱ３１のエミッターに接続し、他端がノードＮ３１に接続する。抵抗Ｒ３２は、一端がノードＮ３１に接続し、他端がｎ型チャンネルの電界効果トランジスターにより構成されるトランジスターＱ３２のドレインに接続する。
【００５１】
トランジスターＱ３２は、ドレインが抵抗Ｒ３２の一端と接続し、ソースが接地される。トランジスターＱ３２のドレインとソースとの間には、寄生ダイオードが接続される。トランジスターＱ３２のゲートは、制御部１０と接続し、制御部１０の動作に基づいて検査電圧スイッチ信号ＳＷＳ２が入力される。
【００５２】
検査電圧スイッチ信号ＳＷＳ２は、電圧レベルが「Ｈｉｇｈ」レベルの信号である。そのため、トランジスターＱ３２は、ゲートに検査電圧スイッチ信号ＳＷＳ２が入力されると、ソースに対するゲートの電圧が閾値より大きくなりオンする。一方で、トランジスターＱ３２は、ゲートに対して検査電圧スイッチ信号ＳＷＳ２の入力がない場合、ソースとゲートとの間に電位差が生じずオフする。
【００５３】
トランジスターＱ３２がオンしている場合、トランジスターＱ３１のベースには、抵抗Ｒ３１と抵抗Ｒ３２との分圧が印加される。すると、トランジスターＱ３１は、ベースに対するエミッターの電圧が閾値より大きくなりオンする。なお、抵抗Ｒ３１、Ｒ３２の抵抗値は、トランジスターＱ３２のオンに伴ってトランジスターＱ３１がオンするように適切に予め定められている。トランジスターＱ３１がオンになると、駆動電圧供給回路２００のトランジスターＱ２１のゲート・ソース間が短絡して、トランジスターＱ２１は、オフする。したがって、制御部１０が検査電圧スイッチ信号ＳＷＳ２を駆動電圧停止回路３００に入力している間、駆動電圧停止回路３００は、トランジスターＱ２１をオフに保持でき、この間、発熱素子１５２への駆動電圧の供給をオフに保持する。
一方、トランジスターＱ３２がオフしている場合、トランジスターＱ３１のゲートには抵抗Ｒ３１と抵抗Ｒ３２との分圧が印加されないため、トランジスターＱ３１は、オフする。トランジスターＱ３１がオフすると、駆動電圧供給回路２００のトランジスターＱ２１のゲート・ソース間は、短絡しない。そのため、制御部１０が検査電圧スイッチ信号ＳＷＳ２を駆動電圧停止回路３００に入力している間、トランジスターＱ２１は、オンオフ可能となる。したがって、制御部１０が検査電圧スイッチ信号ＳＷＳ２を駆動電圧停止回路３００に入力している間、駆動電圧供給回路２００は、制御部１０の動作に基づく駆動電圧スイッチ信号ＳＷＳ１の入力によって、発熱素子１５２への駆動電圧の供給が可能となる。
【００５４】
［２−２−３．検査電圧供給切替回路の構成］
検査電圧供給切替回路４００は、トランジスターＱ４１、Ｑ４２、及び、抵抗Ｒ４１、Ｒ４２を備える。
【００５５】
トランジスターＱ４１は、ｐ型チャンネルの電界効果トランジスターにより構成される。トランジスターＱ４１のソースとドレインとの間には、寄生ダイオードが接続する。トランジスターＱ４１のソースは、検査電圧が供給される検査電圧供給ラインＫＳＬと接続し、トランジスターＱ４１のドレインは、ノードＮ１を介してヘッド電圧供給ラインＨＤＬと接続するヘッド接続ラインＨＬ２と接続する。なお、ヘッド接続ラインＨＬ２には、逆流防止回路５００のトランジスターＱ５１が直列に設けられている。
【００５６】
トランジスターＱ５１がオンである場合にトランジスターＱ４１がオンであると、検査電圧供給ラインＫＳＬは、ヘッド接続ラインＨＬ２、ノードＮ１、及び、ヘッド電圧供給ラインＨＤＬを介して発熱素子１５２と電気的に接続する。検査電圧供給ラインＫＳＬは、第２電圧供給ラインの一例に対応する。一方、トランジスターＱ４１がオフである場合、検査電圧供給ラインＫＳＬは、発熱素子１５２と電気的に接続しない。
【００５７】
トランジスターＱ４１のゲートは、ノードＮ４１に接続する。ノードＮ４１には、抵抗Ｒ４１、Ｒ４２が接続する。抵抗Ｒ４１は、一端がトランジスターＱ４１のソースと接続し、他端がノードＮ４１と接続する。抵抗Ｒ４２は、一端がノードＮ４１と接続し、他端がｎ型チャンネルの電界効果トランジスターにより構成されるトランジスターＱ４２のドレインと接続する。
【００５８】
トランジスターＱ４２は、ドレインが抵抗Ｒ４２の一端と接続し、ソースが接地される。トランジスターＱ４２のドレインとソースとの間には、寄生ダイオードが接続される。トランジスターＱ４２のゲートは、制御部１０と接続し、制御部１０の動作に基づいて検査電圧スイッチ信号ＳＷＳ２が入力される。トランジスターＱ４２は、ゲートに検査電圧スイッチ信号ＳＷＳ２が入力されるとオンする。一方で、トランジスターＱ４２は、ゲートに対して検査電圧スイッチ信号ＳＷＳ２の入力がない場合、オフする。
【００５９】
トランジスターＱ４２がオンしている場合、トランジスターＱ４１のゲートには、抵抗Ｒ４１と抵抗Ｒ４２との分圧が印加され、トランジスターＱ４１はオンする。なお、抵抗Ｒ４１、Ｒ４２の抵抗値は、トランジスターＱ４２のオンに伴ってトランジスターＱ４１がオンするように適切に予め定められている。トランジスターＱ４１がオンになると、逆流防止回路５００のトランジスターＱ５１がオンである場合、検査電圧供給ラインＫＳＬと発熱素子１５２とが電気的に接続するため、検査電圧供給切替回路４００は、発熱素子１５２に検査電圧を供給する。
一方、トランジスターＱ４２がオフしている場合、トランジスターＱ４１のゲートには抵抗Ｒ４１と抵抗Ｒ４２との分圧が印加されないため、トランジスターＱ４１は、オフする。トランジスターＱ４１がオフすると、検査電圧供給ラインＫＳＬと発熱素子１５２とが電気的に接続しなくなり、検査電圧供給切替回路４００は、発熱素子１５２への駆動電圧の供給を停止する。
このように、検査電圧供給切替回路３００は、検査電圧スイッチ信号ＳＷＳ２の入力がある場合、発熱素子１５２への検査電圧の供給をオンに切り替え、検査電圧スイッチ信号ＳＷＳ２の入力がない場合、発熱素子１５２への検査電圧の供給をオフに切り替える。
【００６０】
トランジスターＱ４１は、ノードＮ４２を介して検査電圧供給ラインＫＳＬと接続する。検査電圧供給ラインＫＳＬには、抵抗Ｒ４３が直列に設けられている。ノードＮ４２には、制御部１０が接続する。ノードＮ４２は、検査電圧供給切替回路４００がサーマルヘッド１５１に検査電圧を供給している場合、制御部１０に検査結果信号ＫＫＳを出力する。検査結果信号ＫＫＳは、抵抗Ｒ４３と検査対象の発熱素子１５２とによる検査電圧の分圧である。
【００６１】
［２−２−４．逆流防止回路の構成］
逆流防止回路５００は、トランジスターＱ５１、Ｑ５２、抵抗Ｒ５１、Ｒ５２、及び、検査電圧遅延回路５０１を備える。検査電圧遅延回路５０１は、第２遅延回路の一例に対応する。
【００６２】
トランジスターＱ５１は、ｐ型チャンネルの電界効果トランジスターにより構成される。トランジスターＱ５１は、第２スイッチ、及び、第２電界効果トランジスターの一例に対応する。トランジスターＱ５１は、ヘッド接続ラインＨＬ２に設けられる。トランジスターＱ５１のソースとドレインとの間には、寄生ダイオードが接続する。トランジスターＱ５１のドレインは、検査電圧供給切替回路４００のトランジスターＱ４１のドレインと接続し、トランジスターＱ５１のソースは、ノードＮ１を介してヘッド電圧供給ラインＨＤＬと接続する。
【００６３】
トランジスターＱ５１のゲートは、ノードＮ５１に接続する。ノードＮ５１には、抵抗Ｒ５１、Ｒ５２が接続する。抵抗Ｒ５１は、一端がトランジスターＱ５１のドレインと接続し、他端がノードＮ５１に接続する。抵抗Ｒ５２は、一端がノードＮ５１に接続し、他端がｎ型チャンネルの電界効果トランジスターにより構成されるトランジスターＱ５２のドレインと接続する。
【００６４】
トランジスターＱ５２は、ドレインが抵抗Ｒ５２の一端と接続し、ソースが接地される。トランジスターＱ５２のドレインとソースとの間には、寄生ダイオードが接続される。トランジスターＱ５２のゲートは、抵抗Ｒ５３を介して制御部１０と接続し、検査電圧スイッチ信号ＳＷＳ２が入力される。
【００６５】
トランジスターＱ５２は、ゲートに検査電圧遅延回路５０１を介して検査電圧スイッチ信号ＳＷＳ２が入力されるとオンする。一方で、トランジスターＱ５２は、ゲートに対して駆動電圧スイッチ信号ＳＷＳ１の入力がない場合、オフする。
【００６６】
トランジスターＱ５２がオンしている場合、トランジスターＱ５１のゲートには抵抗Ｒ５１と抵抗Ｒ５２との分圧が印加され、トランジスターＱ５１は、オンする。なお、抵抗Ｒ５１、Ｒ５２の抵抗値は、トランジスターＱ５２のオンに伴ってトランジスターＱ５１がオンするように適切に予め定められている。トランジスターＱ５１がオンになると、検査電圧供給切替回路４００は、ノードＮ１に接続する。
一方、トランジスターＱ５２がオフしている場合、トランジスターＱ５１のゲートには抵抗Ｒ５１と抵抗Ｒ５２との分圧が印加されないため、トランジスターＱ５１は、オフする。トランジスターＱ５１がオフすると、検査電圧供給切替回路４００は、ノードＮ１に接続されない。
【００６７】
抵抗Ｒ５３の一端とトランジスターＱ５２のゲートには、コンデンサーＣ５１が接続する。コンデンサーＣ５１と抵抗Ｒ５３とは、検査電圧遅延回路５０１を構成する。検査電圧遅延回路５０１の動作、及び機能については、後述する。
【００６８】
［２−２−５．検査電圧停止回路の構成］
検査電圧停止回路６００は、トランジスターＱ６１、Ｑ６２、及び、抵抗Ｒ６１、６２を備える。
【００６９】
トランジスターＱ６１は、ｐｎｐ型のバイポーラトランジスターにより構成され、エミッターがトランジスターＱ５１のソースと接続し、コレクターがノードＮ５１に接続し、ベースがノードＮ６１に接続する。ノードＮ６１には、抵抗Ｒ６１、Ｒ６２が接続する。抵抗Ｒ６１は、一端がトランジスターＱ６１のエミッターと接続し、他端がノードＮ６１に接続する。抵抗Ｒ６２は、一端がノードＮ６１に接続し、他端がｎ型チャンネルの電界効果トランジスターにより構成されるトランジスターＱ６２のドレインに接続する。
【００７０】
トランジスターＱ６２は、ドレインが抵抗Ｒ６２の一端と接続し、ソースが接地される。トランジスターＱ６２のドレインとソースとの間には、寄生ダイオードが接続される。トランジスターＱ６２のゲートは、制御部１０と接続し、制御部１０の動作に基づいて駆動電圧スイッチ信号ＳＷＳ１が入力される。トランジスターＱ６２は、ゲートに駆動電圧スイッチ信号ＳＷＳ１が入力されるとオンする。一方で、トランジスターＱ６２は、ゲートに対して駆動電圧スイッチ信号ＳＷＳ１の入力がない場合、オフする。
【００７１】
トランジスターＱ６２がオンしている場合、トランジスターＱ６１のゲートには、抵抗Ｒ６１と抵抗Ｒ６２との分圧が印加され、トランジスターＱ６１は、オンする。なお、抵抗Ｒ６１、Ｒ６２の抵抗値は、トランジスターＱ６２のオンに伴ってトランジスターＱ６１がオンするように適切に予め適切に定められている。トランジスターＱ６１がオンになると、逆流防止回路５００のトランジスターＱ５１のゲート・ソース間が短絡するため、トランジスターＱ５１は、オフする。したがって、制御部１０が駆動電圧スイッチ信号ＳＷＳ１を検査電圧停止回路６００に入力している間、検査電圧停止回路６００は、逆流防止回路５００のトランジスターＱ５１をオフに保持し、発熱素子１５２への検査電圧の供給をオフに保持する。
一方、トランジスターＱ６２がオフしている場合、トランジスターＱ６１のゲートには抵抗Ｒ６１と抵抗Ｒ６２との分圧が印加されないため、トランジスターＱ６１は、オフする。トランジスターＱ６１がオフすると、トランジスターＱ５１のゲート・ソース間が短絡しないため、検査電圧供給切替回路４００は、制御部１０の動作に基づく検査電圧スイッチ信号ＳＷＳ２の入力によって、発熱素子１５２への検査電圧の供給が可能となる。
【００７２】
［３．サーマルプリンターの動作］
次に、印刷に係るサーマルプリンター１の動作と、発熱素子検査に係るサーマルプリンター１の動作とについて説明する。
【００７３】
［３−１．印刷に係るサーマルプリンターの動作］
図３は、印刷に係るサーマルプリンター１の動作を示すフローチャートである。
【００７４】
サーマルプリンター１の制御部１０は、印刷部１５による印刷を実行するか否かを判別する（ステップＳＡ１）。例えば、制御部１０は、通信部１１を介して外部装置から印刷データを受信した場合、ステップＳＡ１で肯定判別する。
【００７５】
制御部１０は、印刷を実行すると判別した場合（ステップＳＡ１：ＹＥＳ）、電圧供給回路１５３Ａへの駆動電圧スイッチ信号ＳＷＳ１の入力を開始する（ステップＳＡ２）。
【００７６】
ステップＳＡ２において、制御部１０は、電圧供給回路１５３Ａにおいて駆動電圧供給回路２００と検査電圧停止回路６００とに駆動電圧スイッチ信号ＳＷＳ１を入力する。
【００７７】
駆動電圧供給回路２００は、駆動電圧スイッチ信号ＳＷＳ１の入力が開始されると、トランジスターＱ２１がオンになるため、サーマルヘッド１５１の発熱素子１５２に対して駆動電圧の供給を開始する。また、検査電圧停止回路６００は、駆動電圧スイッチ信号ＳＷＳ１の入力が開始されると、逆流防止回路５００のトランジスターＱ５１をオフに保持する。
【００７８】
このように、電圧供給回路１５３Ａは、駆動電圧スイッチ信号ＳＷＳ１が制御部１０から入力されると、駆動電圧供給回路２００による駆動電圧の供給を開始すると共に、逆流防止回路５００のトランジスターＱ５１をオフにする。
これにより、発熱素子１５２に駆動電圧を供給している間、制御部１０が所定の要因によって電圧供給回路１５３Ａに検査電圧スイッチ信号ＳＷＳ２を出力した場合でも、トランジスターＱ５１がオフに保持されるため、検査電圧供給回路７００は、検査電圧を発熱素子１５２に供給することがない。したがって、電圧供給回路１５３Ａは、サーマルプリンター１が印刷を実行している間に、発熱素子１５２に駆動電圧と検査電圧とを同時に供給してしまうことを確実に防止できる。そのため、電圧供給回路１５３Ａは、同時供給によって定格以上の電圧を発熱素子１５２に供給するといった事態の発生を回避できる。
また、発熱素子１５２に駆動電圧を供給している間、検査電圧停止回路６００のトランジスターＱ６１のオンによって、逆流防止回路５００のトランジスターＱ５１は、オフに保持される。したがって、サーマルプリンター１が印刷を実行している間、所定の要因によって制御部１０が検査電圧スイッチ信号ＳＷＳ２を出力した場合でも、逆流防止回路５００のトランジスターＱ５１は、オンすることがない。そのため、電圧供給回路１５３Ａは、駆動電圧がノードＮ１を介して検査電圧供給回路７００に供給されることを確実に防止でき、駆動電圧によって検査電圧供給回路７００などの論理回路系の各部に定格以上の過剰な電圧が印加されることを確実に防止できる。
【００７９】
図３のフローチャートの説明に戻り、制御部１０は、電圧供給回路１５３Ａに駆動電圧スイッチ信号ＳＷＳ１の入力を開始すると、印刷を実行する（ステップＳＡ３）。ステップＳＡ３では、制御部１０は、上述したように、ストローブ信号Ｓ１、ラッチ信号Ｓ２、クロック信号Ｓ３、印刷データを示すデータ信号Ｓ４をヘッド駆動回路１５３に出力して、１ドットラインごとに印刷を実行する。
【００８０】
［３−２．発熱素子検査に係るサーマルプリンターの動作］
図４は、発熱素子検査に係るサーマルプリンター１の動作を示すフローチャートである。
【００８１】
サーマルプリンター１の制御部１０は、発熱素子検査を実行するか否かを判別する（ステップＳＢ１）。例えば、入力部１２が発熱素子検査の実行を指示する操作を検出した場合、制御部１０は、ステップＳＢ１で肯定判別する。また、例えば、印刷部１５による印刷終了後、自動的に検査を実行する構成である場合、制御部１０は、印刷を終了したことをトリガーにステップＳＢ１において肯定判別する。
【００８２】
制御部１０は、発熱素子検査を実行すると判別した場合（ステップＳＢ１：ＹＥＳ）、電圧供給回路１５３Ａへの検査電圧スイッチ信号ＳＷＳ２の入力を開始する（ステップＳＢ２）。
【００８３】
ステップＳＢ２において、制御部１０は、電圧供給回路１５３Ａにおいて検査電圧供給切替回路４００、逆流防止回路５００、及び、駆動電圧停止回路３００に検査電圧スイッチ信号ＳＷＳ２を入力する。
【００８４】
逆流防止回路５００は、検査電圧スイッチ信号ＳＷＳ２の入力が開始されると、トランジスターＱ５１がオンになるため、検査電圧供給切替回路４００と発熱素子１５２とを電気的に接続する。また、検査電圧供給切替回路４００は、検査電圧スイッチ信号ＳＷＳ２の入力が開始されると、トランジスターＱ４１がオンになる。これにより、検査電圧供給切替回路４００は、発熱素子１５２への検査電圧の供給を開始する。駆動電圧停止回路３００は、検査電圧スイッチ信号ＳＷＳ２の入力が開始されると、駆動電圧供給回路２００のトランジスターＱ２１をオフにして発熱素子１５２への駆動電圧の供給をオフにする。
【００８５】
このように、電圧供給回路１５３Ａは、検査電圧スイッチ信号ＳＷＳ２が制御部１０から出力されると、発熱素子１５２への検査電圧の供給を開始すると共に、トランジスターＱ２１をオフに保持する。
これにより、発熱素子１５２に検査電圧を供給している間、制御部１０が所定の要因によって電圧供給回路１５３Ａに駆動電圧スイッチ信号ＳＷＳ１を出力した場合でも、トランジスターＱ２１がオフに保持されるため、駆動電圧供給回路２００は、発熱素子１５２に駆動電圧を供給することがない。したがって、電圧供給回路１５３Ａは、サーマルプリンター１が発熱素子検査を実行している間、発熱素子１５２に駆動電圧と検査電圧とを同時に供給してしまうことを確実に防止できる。また、発熱素子１５２に検査電圧を供給している間、駆動電圧供給回路２００は、発熱素子１５２に駆動電圧を供給することがない。そのため、電圧供給回路１５３Ａは、発熱素子１５２に検査電圧を供給している間、駆動電圧がノードＮ１を介して検査電圧供給回路７００に供給され、検査電圧供給回路７００などの論理回路系が過剰電圧により故障に至ることを確実に防止できる。
【００８６】
図３のフローチャートの説明に戻り、制御部１０は、電圧供給回路１５３Ａに検査電圧スイッチ信号ＳＷＳ２の出力を開始すると、検査する発熱素子１５２を１つ選択する（ステップＳＢ３）。
【００８７】
次いで、制御部１０は、検査する発熱素子１５２を通電させるデータ信号Ｓ４をサーマルヘッド１５１のシフトレジスター１５１Ｃに出力して、選択した発熱素子１５２を通電させる（ステップＳＢ４）。
【００８８】
次いで、制御部１０は、選択した発熱素子１５２の検査結果信号ＫＫＳを取得する（ステップＳＢ５）。前述した通り、検査結果信号ＫＫＳは、抵抗Ｒ４３とステップＳＢ３で選択した発熱素子１５２との分圧である。
【００８９】
制御部１０は、検査結果信号ＫＫＳを取得すると、検査結果信号ＫＫＳをデジタル変換等の所定の処理を施して、検査結果信号ＫＫＳを示す情報を記憶部１１０に記憶する（ステップＳＢ６）。
【００９０】
次いで、制御部１０は、サーマルヘッド１５１が備える全ての発熱素子１５２を検査したか否かを判別する（ステップＳＢ７）。
【００９１】
制御部１０は、発熱素子ユニット１５１Ａが備える発熱素子１５２の全てを検査していないと判別した場合（ステップＳＢ７：ＮＯ）、サーマルヘッド１５１が備える発熱素子１５２のうち、検査していない１の発熱素子１５２を選択する（ステップＳＢ８）。そして、制御部１０は、処理をステップＳＢ４に戻し、ステップＳＢ８で選択した発熱素子１５２の検査結果信号ＫＫＳを取得する。
【００９２】
一方、制御部１０は、発熱素子ユニット１５１Ａが備える全ての発熱素子１５２を検査したと判別した場合（ステップＳＢ７：ＹＥＳ）、記憶部１１０に記憶した検査結果信号ＫＫＳを示す情報に基づいて、サーマルヘッド１５１が備える発熱素子１５２のそれぞれについて発熱不良の有無を判定する（ステップＳＢ９）。
【００９３】
例えば、ステップＳＢ９において、制御部１０は、検査結果信号ＫＫＳが所定の閾値電圧以上の電圧を示すか否かを判定する。そして、制御部１０は、検査結果信号ＫＫＳが所定の閾値以上の電圧を示すと判別した場合、この検査結果信号ＫＫＳに対応する発熱素子１５２が発熱不良であると判定する。一方、制御部１０は、検査結果信号ＫＫＳが所定の閾値以上の電圧を示さないと判別した場合、この検査結果信号ＫＫＳに対応する発熱素子１５２が発熱不良でないと判定する。
【００９４】
次いで、制御部１０は、ステップＳＢ９における判定結果に基づいて、サーマルヘッド１５１の状態を判定する（ステップＳＢ１０）。例えば、ステップＳＢ１０において、制御部１０は、発熱不良であると判定した発熱素子１５２の数が、所定数以上である場合、サーマルヘッド１５１の状態が異常な状態であると判定する。一方、制御部１０は、発熱不良であると判定した発熱素子１５２の数が、所定数を下回る場合、サーマルヘッド１５１の状態が正常な状態であると判定する。
【００９５】
次いで、制御部１０は、ステップＳＢ１０における判定結果に基づく処理を実行する（ステップＳＢ１１）。例えば、ステップＳＢ１１において、制御部１０は、判定結果を表示部１３により報知する。
【００９６】
［４．電圧供給回路の動作］
次に、駆動電圧スイッチ信号ＳＷＳ１、及び、検査電圧スイッチ信号ＳＷＳ２の入力態様を複数例示して、電圧供給回路１５３Ａの動作をより詳細に説明する。
【００９７】
［４−１．例１］
例１では、所定の要因により、制御部１０が、駆動電圧スイッチ信号ＳＷＳ１と検査電圧スイッチ信号ＳＷＳ２とを同時に電圧供給回路１５３Ａに入力した場合における電圧供給回路１５３Ａの動作について説明する。
【００９８】
図５は、駆動電圧スイッチ信号ＳＷＳ１と検査電圧スイッチ信号ＳＷＳ２との入力状態、及び、トランジスターＱ２１、Ｑ３１、Ｑ５１、Ｑ６１のオンオフの状態を示すタイミングチャートである。
【００９９】
図５において、タイミングチャートＴＡ−１は、電圧供給回路１５３Ａに対する駆動電圧スイッチ信号ＳＷＳ１の入力状態を示す。また、タイミングチャートＴＡ−２は、電圧供給回路１５３Ａに対する検査電圧スイッチ信号ＳＷＳ２の入力状態を示す。タイミングチャートＴＡ−１、ＴＡ−２において、「Ｌｏｗ」は、電圧供給回路１５３Ａに対してスイッチ信号の入力がオフである状態を示し、「Ｈｉｇｈ」は、電圧供給回路１５３Ａに対してスイッチ信号の入力がオンである状態を示す。
【０１００】
また、図５において、タイミングチャートＴＡ−３は、駆動電圧供給回路２００のトランジスターＱ２１のオンオフの状態を示す。タイミングチャートＴＡ−４は、駆動電圧停止回路３００のトランジスターＱ３１のオンオフの状態を示す。タイミングチャートＴＡ−５は、逆流防止回路５００のトランジスターＱ５１のオンオフの状態を示す。タイミングチャートＴＡ−６は、検査電圧停止回路６００のトランジスターＱ６１のオンオフの状態を示す。
【０１０１】
図５に示すように、タイミングｔａ１において、所定の要因によって制御部１０が駆動電圧スイッチ信号ＳＷＳ１と検査電圧スイッチ信号ＳＷＳ２とを同時に電圧供給回路１５３Ａに入力したとする。
【０１０２】
すると、タイミングｔａ１以降、駆動電圧供給回路２００には、駆動電圧遅延回路２０１によって駆動電圧スイッチ信号ＳＷＳ１が遅延して入力される。つまり、駆動電圧遅延回路２０１のコンデンサーＣ２１による電荷の蓄電が開始されるため、トランジスターＱ２１のゲートでは、オンするために必要な閾値以上の電圧の印加が遅延する。これにより、タイミングチャートＴＡ−３に示すように、トランジスターＱ２１は、タイミングｔａ１以降、速やかにオンしない。
タイミングｔａ１以降、駆動電圧停止回路３００には検査電圧スイッチ信号ＳＷＳ２が入力される。しかしながら、トランジスターＱ２１のオンが遅延する一方で、駆動電圧停止回路３００のトランジスターＱ３１は、タイミングｔａ１以降、速やかにオンする。これにより、タイミングチャートＴＡ−３に示すように、トランジスターＱ２１は、ソース・ゲート間が短絡してトランジスターＱ３１がオンしたタイミングｔａ２以降もオンすることなくオフを継続する。
【０１０３】
また、タイミングｔａ１以降、逆流防止回路５００には、検査電圧遅延回路５０１によって検査電圧スイッチ信号ＳＷＳ２が遅延して入力される。つまり、検査電圧遅延回路５０１のコンデンサーＣ５１において電荷の蓄電が開始されるため、トランジスターＱ５２のゲートでは、オンするために必要な閾値以上の電圧の印加が遅延する。これにより、タイミングチャートＴＡ−５に示すように、トランジスターＱ５１は、タイミングｔａ１以降、速やかにオンしない。
タイミングｔａ１以降、検査電圧停止回路６００にも検査電圧スイッチ信号ＳＷＳ２が入力される。しかしながら、トランジスターＱ５１のオンが遅延する一方で、検査電圧停止回路６００のトランジスターＱ６１は、タイミングチャートＴＡ−６に示すように、タイミングｔａ１以降、速やかにオンする。これにより、トランジスターＱ５１は、ソース・ゲート間が短絡し、タイミングチャートＴＡ−５に示すように、トランジスターＱ６１がオンしたタイミングｔａ２以降もオンすることなくオフを継続する。
【０１０４】
このように、所定の要因によって制御部１０が駆動電圧スイッチ信号ＳＷＳ１と検査電圧スイッチ信号ＳＷＳ２とを同時に電圧供給回路１５３Ａに入力した場合、駆動電圧遅延回路２０１によって、トランジスターＱ２１は、オンになることがない。また、この場合では、検査電圧遅延回路５０１によって、トランジスターＱ５１は、オンになることがない。したがって、所定の要因によって制御部１０が駆動電圧スイッチ信号ＳＷＳ１と検査電圧スイッチ信号ＳＷＳ２とを同時に電圧供給回路１５３Ａに入力した場合でも、電圧供給回路１５３Ａは、駆動電圧と検査電圧とを同時に発熱素子１５２へ供給してしまうことを確実に防止できる。また、逆流防止回路５００のトランジスターＱ５１がオンにならないため、各スイッチ信号が同時に入力された場合でも、電圧供給回路１５３Ａは、駆動電圧がノードＮ１を介して検査電圧供給回路７００に供給され、検査電圧供給回路７００などの論理回路系が過剰電圧により故障に至ることを防止できる。
【０１０５】
［４−２．例２］
例２では、印刷実行後、速やかに発熱素子検査を行うといった場合に、制御部１０が、駆動電圧スイッチ信号ＳＷＳ１の入力を停止したタイミングで検査電圧スイッチ信号ＳＷＳ２を入力した場合における電圧供給回路１５３Ａの動作について説明する。
【０１０６】
図６は、駆動電圧スイッチ信号ＳＷＳ１と検査電圧スイッチ信号ＳＷＳ２との入力状態、及び、トランジスターＱ２１、Ｑ５１のオンオフの状態を示すタイミングチャートである。
【０１０７】
図６において、タイミングチャートＴＢ−１は、電圧供給回路１５３Ａに対する駆動電圧スイッチ信号ＳＷＳ１の入力状態を示す。また、タイミングチャートＴＢ−２は、電圧供給回路１５３Ａに対する検査電圧スイッチ信号ＳＷＳ２の入力状態を示す。タイミングチャートＴＢ−１、ＴＢ−２において、「Ｌｏｗ」は、電圧供給回路１５３Ａに対してスイッチ信号の入力がオフである状態を示し、「Ｈｉｇｈ」は、電圧供給回路１５３Ａに対してスイッチ信号の入力がオンである状態を示す。
【０１０８】
また、図６において、タイミングチャートＴＢ−３は、駆動電圧供給回路２００のトランジスターＱ２１のオンオフの状態を示す。タイミングチャートＴＢ−４は、逆流防止回路５００のトランジスターＱ５１のオンオフの状態を示す。
【０１０９】
図６に示すように、タイミングｔｂ１において、電圧供給回路１５３Ａに対して駆動電圧スイッチ信号ＳＷＳ１の入力がオフになると共に、検査電圧スイッチ信号ＳＷＳ２の入力がオンになったとする。
【０１１０】
すると、タイミングｔｂ１以降、駆動電圧供給回路２００には、検査電圧スイッチ信号ＳＷＳ２によりＱＦ３１がオンし、Ｑ２１が速やかにタイミングｔｂ２でオフする。
【０１１１】
また、タイミングｔｂ１以降、逆流防止回路５００には、検査電圧スイッチ信号ＳＷＳ２が入力される。しかしながら、検査電圧遅延回路５０１のコンデンサーＣ５１において電荷の蓄電が開始されるため、トランジスターＱ５２のゲートでは、オンするために必要な閾値以上の電圧の印加が遅延する。これにより、タイミングチャートＴＢ−４に示すように、トランジスターＱ５１は、トランジスターＱ２１がオフになるタイミングｔｂ２までオンにならず、タイミングｔｂ２より遅延してタイミングｔｂ３でオンする。
【０１１２】
このように、制御部１０が駆動電圧スイッチ信号ＳＷＳ１の入力を停止すると共に検査電圧スイッチ信号ＳＷＳ２を入力した場合、検査電圧遅延回路５０１によって、トランジスターＱ５１は、速やかにオンしない。逆流防止回路５００は、トランジスターＱ２１のオフより後にトランジスターＱ５１をオンすることができる。そのため、電圧供給回路１５３Ａは、過渡現象によってトランジスターＱ２１がオンしている際にトランジスターＱ５１がオンすることを防止できる。したがって、電圧供給回路１５３Ａは、制御部１０が駆動電圧スイッチ信号ＳＷＳ１の入力を停止すると共に検査電圧スイッチ信号ＳＷＳ２を入力した場合でも、駆動電圧がノードＮ１を介して検査電圧供給回路７００に供給され、検査電圧供給回路７００などの論理回路系が過剰電圧により故障に至ることを防止できる。
【０１１３】
［４−３．例３］
例３では、発熱素子検査の実行後、速やかに印刷を行うといった場合に、制御部１０が、電圧供給回路１５３Ａに検査電圧スイッチ信号ＳＷＳ２の入力を停止するタイミングで駆動電圧スイッチ信号ＳＷＳ１を入力する場合における電圧供給回路１５３Ａの動作について説明する。
【０１１４】
図７は、駆動電圧スイッチ信号ＳＷＳ１と検査電圧スイッチ信号ＳＷＳ２との入力状態、及び、トランジスターＱ２１、Ｑ５１のオンオフの状態を示すタイミングチャートである。
【０１１５】
図７において、タイミングチャートＴＣ−１は、電圧供給回路１５３Ａに対する駆動電圧スイッチ信号ＳＷＳ１の入力状態を示す。また、タイミングチャートＴＣ−２は、電圧供給回路１５３Ａに対する検査電圧スイッチ信号ＳＷＳ２の入力状態を示す。タイミングチャートＴＣ−１、ＴＣ−２において、「Ｌｏｗ」は、電圧供給回路１５３Ａに対してスイッチ信号の入力がオフである状態を示し、「Ｈｉｇｈ」は、電圧供給回路１５３Ａに対してスイッチ信号の入力がオンである状態を示す。
【０１１６】
また、図７において、タイミングチャートＴＣ−３は、逆流防止回路５００のトランジスターＱ５１のオンオフの状態を示す。タイミングチャートＴＣ−４は、駆動電圧供給回路２００のトランジスターＱ２１のオンオフの状態を示す。
【０１１７】
図７に示すように、タイミングｔｃ１において、制御部１０が検査電圧スイッチ信号ＳＷＳ２の入力をオフすると共に、駆動電圧スイッチ信号ＳＷＳ１の入力をオンしたとする。
【０１１８】
すると、タイミングｔｃ１以降、逆流防止回路５００には駆動電圧スイッチ信号ＳＷＳ１によりＱ６１がオンし、Ｑ５１が速やかにｔｃ３でオフする。
【０１１９】
また、タイミングｔｃ１以降、駆動電圧供給回路２００には、駆動電圧遅延回路２０１によって駆動電圧スイッチ信号ＳＷＳ１が遅延して入力される。つまり、駆動電圧遅延回路２０１のコンデンサーＣ２１において電荷の蓄電が開始されるため、トランジスターＱ２１のゲートでは、オンするために必要な閾値以上の電圧の印加が遅延する。これにより、タイミングチャートＴＣ−４に示すように、トランジスターＱ２１は、トランジスターＱ５１がオフになるタイミングｔｃ２までオンせず、トランジスターＱ５１がオフになった後のタイミングｔｃ３でオンする。
【０１２０】
このように、制御部１０が検査電圧スイッチ信号ＳＷＳ２の入力を停止すると共に駆動電圧スイッチ信号ＳＷＳ１を入力した場合、駆動電圧遅延回路２０１によって、トランジスターＱ２１は、速やかにオンしない。駆動電圧供給回路２００のトランジスターＱ２１は、トランジスターＱ５１のオフより後にオンできる。そのため、電圧供給回路１５３Ａは、過渡現象によってトランジスターＱ５１がオンしている際にトランジスターＱ２１がオンすることを防止できる。したがって、制御部１０が検査電圧スイッチ信号ＳＷＳ２の入力をオフすると共に駆動電圧スイッチ信号ＳＷＳ１の入力をオンした場合でも、電圧供給回路１５３Ａは、駆動電圧がノードＮ１を介して検査電圧供給回路７００に供給され、検査電圧供給回路７００などの論理回路系が過剰電圧により故障に至ることを防止できる。
【０１２１】
以上説明したように、サーマルプリンター１は、発熱素子１５２を備えるサーマルヘッド１５１と、発熱素子１５２に駆動電圧、及び、駆動電圧より低電圧の検査電圧を供給する電圧供給回路１５３Ａと、を備える。電圧供給回路１５３Ａは、発熱素子１５２に接続され、駆動電圧スイッチ信号ＳＷＳ１の入力に応じて、発熱素子１５２への駆動電圧の供給をオンに切り替える駆動電圧供給回路２００を備える。また、電圧供給回路１５３Ａは、発熱素子１５２に接続され、検査電圧スイッチ信号ＳＷＳ２の入力に応じて、発熱素子１５２への検査電圧の供給をオンに切り替える検査電圧供給回路７００を備える。また、電圧供給回路１５３Ａは、検査電圧スイッチ信号ＳＷＳ２の入力に応じて、駆動電圧供給回路２００の駆動電圧の供給をオフに保持する駆動電圧停止回路３００と、駆動電圧スイッチ信号ＳＷＳ１の入力に応じて、検査電圧供給回路７００の検査電圧の供給をオフに保持する検査電圧停止回路６００と、を備える。
【０１２２】
また、サーマルプリンター１の制御方法では、サーマルヘッド１５１の発熱素子１５２に、電圧供給回路１５３Ａから駆動電圧スイッチ信号ＳＷＳ１を供給して印刷を実行し、検査電圧スイッチ信号ＳＷＳ２を供給して発熱素子１５２の検査を実行する。また、サーマルプリンター１の制御方法では、電圧供給回路１５３Ａが、駆動電圧スイッチ信号ＳＷＳ１の入力に応じて、発熱素子１５２への駆動電圧の供給をオンに切り替え、検査電圧電圧の供給をオフに保持し、検査電圧スイッチ信号ＳＷＳ２の入力に応じて、発熱素子１５２への検査電圧の供給をオンに切り替え、駆動電圧の供給をオフに保持する。
【０１２３】
このサーマルプリンター１、及びサーマルプリンター１の制御方法の構成によれば、電圧供給回路１５３Ａは、発熱素子１５２に駆動電圧を供給している間、発熱素子１５２への検査電圧の供給をオフでき、発熱素子１５２に検査電圧を供給している間、発熱素子１５２への駆動電圧の供給をオフにできる。したがって、電圧供給回路１５３Ａは、駆動電圧と検査電圧とを同時に発熱素子１５２に供給し、故障に至ってしまうことを確実に防止でき、駆動電圧と検査電圧とを適切に発熱素子１５２へ供給できる。
【０１２４】
サーマルプリンター１は、駆動電圧供給回路２００への駆動電圧スイッチ信号ＳＷＳ１の入力を遅延させる駆動電圧遅延回路２０１を備える。
【０１２５】
この構成によれば、駆動電圧遅延回路２０１によって、駆動電圧スイッチ信号ＳＷＳ１による駆動電圧の供給を遅延させてオンに切り替えることができるため、検査電圧の供給をオフにした後に、駆動電圧を発熱素子１５２に供給できる。したがって、電圧供給回路１５３Ａは、発熱素子１５２に駆動電圧と検査電圧とを同時に供給し、故障に至ってしまうことを確実に防止できる。
【０１２６】
サーマルプリンター１は、検査電圧供給回路７００への検査電圧スイッチ信号ＳＷＳ２の入力を遅延させる検査電圧遅延回路５０１を備える。
【０１２７】
この構成によれば、検査電圧遅延回路５０１によって、検査電圧スイッチ信号ＳＷＳ２による検査電圧の供給を遅延させてオンに切り替えることができるため、駆動電圧の供給をオフにした後に、検査電圧を発熱素子１５２に供給できる。したがって、電圧供給回路１５３Ａは、発熱素子１５２に駆動電圧と検査電圧とを同時に供給し、故障に至ってしまうことを確実に防止できる。
【０１２８】
電圧供給回路１５３Ａは、駆動電圧が供給される駆動電圧供給ラインＫＤＬ、及び、検査電圧が供給される検査電圧供給ラインＫＳＬに接続される。駆動電圧供給回路２００は、駆動電圧スイッチ信号ＳＷＳ１に応じてオンに切り替わるトランジスターＱ２１を備え、トランジスターＱ２１がオンのとき駆動電圧供給ラインＫＤＬに発熱素子１５２が接続される。検査電圧供給回路７００は、駆動信号に応じてオンに切り替わるトランジスターＱ５１を備え、トランジスターＱ５１がオンのとき検査電圧供給ラインＫＳＬに発熱素子１５２が接続される。駆動電圧停止回路３００は、検査電圧スイッチ信号ＳＷＳ２の入力に応じて、トランジスターＱ２１をオフに保持する。検査電圧停止回路６００は、検査電圧スイッチ信号ＳＷＳ２の入力に応じて、トランジスターＱ５１をオフに保持する。
【０１２９】
この構成によれば、トランジスターＱ２１、Ｑ５１のオンオフさせることで駆動電圧と検査電圧とを適切に発熱素子１５２へ供給できるため、電圧供給回路１５３Ａは、駆動電圧と検査電圧とを適切に発熱素子１５２へ供給する動作を簡易な構成で行える。
【０１３０】
トランジスターＱ２１は、電界効果トランジスターにより構成される。駆動電圧停止回路３００は、検査電圧スイッチ信号ＳＷＳ２の入力がオンの間、トランジスターＱ２１をオフに保持する。
【０１３１】
この構成によれば、トランジスターＱ２１として電界効果トランジスターを採用することで、例えばバイポーラトランジスターを採用する場合と比較して、電圧供給回路１５３Ａにおける消費電力、及び発熱によるトランジスターＱ２１の誤動作の発生を低減できる。これにより、電圧供給回路１５３Ａは、検査電圧を供給している間、消費電力を低減しつつ、駆動電圧が発熱素子１５２に供給され、故障に至ることをより確実に防止できる。
【０１３２】
トランジスターＱ５１は、電界効果トランジスターにより構成される。検査電圧停止回路６００は、駆動電圧スイッチ信号ＳＷＳ１の入力がオンの間、トランジスターＱ５１をオフに保持する。
【０１３３】
この構成によれば、トランジスターＱ５１として電界効果トランジスターを採用することで、例えばバイポーラトランジスターを採用する場合と比較して、電圧供給回路１５３Ａにおける消費電力を低減できる。
【０１３４】
トランジスターＱ２１、Ｑ５１は、発熱素子１５２につながる共通の接点であるノードＮ１に接続される。
【０１３５】
この構成によれば、駆動電圧がノードＮ１を介して検査電圧供給回路７００に供給され、故障に至ることを確実に防止できる。
【０１３６】
サーマルプリンター１は、電圧供給回路１５３Ａに駆動電圧スイッチ信号ｓｗｓ１、及び検査電圧スイッチ信号ｓｗｓ２を制御する制御部１０を備える。
【０１３７】
この構成によれば、制御部１０の駆動電圧スイッチ信号ＳＷＳ１及び検査電圧スイッチ信号ｓｗｓ２の入力態様によることなく、電圧供給回路１５３ａは、駆動電圧及び検査電圧を適切に発熱素子１５２に供給できる。
【０１３８】
［５．他の実施形態］
上述した実施形態は、あくまでも本発明の一態様を示すものであり、本発明の範囲内で任意に変形および応用が可能である。
【０１３９】
例えば、上述した実施形態では、ヘッド駆動回路１５３がストローブ信号Ｓ１、ラッチ信号Ｓ２、クロック信号Ｓ３、及び、データ信号Ｓ４をサーマルヘッド１５１に出力する構成であるが、これら信号を電圧供給回路１５３Ａがサーマルヘッド１５１に出力する構成でもよい。
【０１４０】
また、例えば、上述した実施形態では、トランジスターＱ３１、Ｑ６１をｐｎｐ型のバイポーラトランジスターとして構成される場合を例示したが、ｐ型チャンネルの電界効果トランジスターにより構成されてもよい。
【０１４１】
また、例えば、上述した実施形態では、トランジスターＱ５１のゲートに検査電圧遅延回路５０１が接続する構成を例示しているが、検査電圧遅延回路５０１は、トランジスターＱ４２のゲートにも接続する構成であってもよい。また、駆動電圧遅延回路２０１は、トランジスターＱ２２のゲートに、検査電圧遅延回路５０１のように接続する構成でもよい。
【０１４２】
また、制御部１０の機能は、複数のプロセッサー、又は、半導体チップにより実現してもよい。
【０１４３】
また、図１に示した各部は一例であって、具体的な実装形態は特に限定されない。つまり、必ずしも各部に個別に対応するハードウェアが実装される必要はなく、一つのプロセッサーがプログラムを実行することで各部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、サーマルプリンター１の他の各部の具体的な細部構成についても、本発明の趣旨を逸脱しない範囲で任意に変更可能である。
【０１４４】
また、例えば、図３、及び図４に示す動作のステップ単位は、サーマルプリンター１の各部の動作の理解を容易にするために、主な処理内容に応じて分割したものであり、処理単位の分割の仕方や名称によって、本発明が限定されることはない。処理内容に応じて、さらに多くのステップ単位に分割してもよい。また、１つのステップ単位がさらに多くの処理を含むように分割してもよい。また、そのステップの順番は、本発明の趣旨に支障のない範囲で適宜に入れ替えてもよい。
【０１４５】
また、例えば、上述した実施形態において、図２に示した回路構成は一例であって、図に示した回路素子を同数または異なる数のＩＣで置き換える等の構成変更が可能であり、本発明の範囲において任意に変更可能である。
【０１４６】
また、例えば、上述した実施形態において、印刷装置をサーマルプリンター１として例示したが、印刷装置はサーマルプリンター１に限定されずインクジェットプリンターやドットインパクトプリンターでも本発明を適応できる。
【符号の説明】
【０１４７】
１…サーマルプリンター（印刷装置）、１０…制御部、１００…プロセッサー、１５１…サーマルヘッド（印刷ヘッド）、１５１Ａ…発熱素子ユニット、１５１Ｂ…ラッチドライバー、１５１Ｃ…シフトレジスター、１５２…発熱素子（ヘッド素子）、１５３…ヘッド駆動回路、１５３Ａ…電圧供給回路（電圧供給部）、２００…駆動電圧供給回路（第１電圧供給回路）、２０１…駆動電圧遅延回路（第１遅延回路）、３００…駆動電圧停止回路（第１電圧停止回路）、４００…検査電圧供給切替回路、５００…逆流防止回路、５０１…検査電圧遅延回路（第２遅延回路）、６００…検査電圧停止回路（第２電圧停止回路）７００…検査電圧供給回路（第２電圧供給回路）、Ｃ２１、Ｃ５１…コンデンサー、ＨＤＬ…ヘッド電圧供給ライン、ＨＬ１、ＨＬ２…ヘッド接続ライン、ＫＤＬ…駆動電圧供給ライン（第１電圧供給ライン）、ＫＫＳ…検査結果信号、ＫＳＬ…検査電圧供給ライン（第２電圧供給ライン）、Ｎ１…ノード（共通の接点）、Ｎ２１、Ｎ３１、Ｎ４１、Ｎ４２、Ｎ５１、Ｎ６１…ノード、Ｑ２１…トランジスター（第１スイッチ、第１電界トランジスター）、Ｑ２２、Ｑ３１、Ｑ３２、Ｑ４１、Ｑ４２…トランジスター、Ｑ５１…トランジスター（第２スイッチ、第２電界効果トランジスター）、Ｑ５２、Ｑ６１、Ｑ６２、ＱＨ…トランジスター、Ｒ２１、Ｒ２２、Ｒ３１、Ｒ３２、Ｒ４１、Ｒ４２、Ｒ４３、Ｒ５１、Ｒ５２、Ｒ５３、Ｒ６１、Ｒ６２…抵抗、Ｓ１…ストローブ信号、Ｓ２…ラッチ信号、Ｓ３…クロック信号、Ｓ４…データ信号、ＳＷＳ１…駆動電圧スイッチ信号（第１信号）、ＳＷＳ２…検査電圧スイッチ信号（第２信号）。
【図１】
2020110988.tif 000003
【図２】
2020110988.tif 000004
【図３】
2020110988.tif 000005
【図４】
2020110988.tif 000006
【図５】
2020110988.tif 000007
【図６】
2020110988.tif 000008
【図７】
2020110988.tif 000009